(57)【特許請求の範囲】
【請求項１】
外部電気機器に電源を供給する電源供給装置であって、
外部と通信するための通信部を備えず、
前記外部電気機器の電源プラグが結合して電気を供給することのできる電源コンセント部と、
前記電源コンセント部から前記外部電気機器への電源の供給を制御する電源制御部と、
前記電源制御部に接続されてユーザから電源活性化コードが入力されるユーザインターフェース部と、
を含み、
前記電源制御部は、前記電源活性化コードに対応する使用時間の間に、前記電源コンセント部から前記外部電気機器に電源を供給し、
前記電源供給装置は、前記電源活性化コードをＲＴＣ（Ｒｅａｌ  Ｔｉｍｅ  Ｃｌｏｃｋ）回路によるワンタイムパスワード方式（ＯＴＰ：Ｏｎｅ  Ｔｉｍｅ  Ｐａｓｓｗｏｒｄ）で生成し、
前記電源供給装置を管理する中央管理センターは、前記電源活性化コードをワンタイムパスワード方式（ＯＴＰ：Ｏｎｅ  Ｔｉｍｅ  Ｐａｓｓｗｏｒｄ）で生成し、
前記電源供給装置の前記ＲＴＣ回路の時計は前記中央管理センター側の時計に管理者端末によって同期化される、
電源供給装置。
【請求項２】
前記電源コンセント部は固有番号を含み、
前記ユーザは、ユーザの電話機又はモバイル機器を介して、前記電源供給装置を管理する中央管理センターから前記固有番号及び前記電源供給装置の使用時間に対応する前記電源活性化コードを受信する、請求項１に記載の電源供給装置。
【請求項３】
前記固有番号は、ＱＲコード（登録商標）方式で提供される、請求項２に記載の電源供給装置。
【請求項４】
前記電源コンセント部は、前記電源供給装置の点検のための前記管理者端末が接続可能な端末接続部を含む、請求項１に記載の電源供給装置。
【請求項５】
外部電気機器に電源を供給する電源供給システムであって、
前記外部電気機器に電源を供給する電源供給装置と、
前記電源供給装置の活性化のための活性化コードを生成し管理する中央管理センターと、
前記電源供給装置の管理を行う管理者用の管理者端末と、
を含み、
前記電源供給装置は、
外部と通信するための通信部を備えず、
前記外部電気機器の電源プラグが結合して電気を供給することのできる電源コンセント部と、
ユーザから電源活性化コードが入力されるユーザインターフェース部と、
前記ユーザから前記ユーザインターフェース部を介して前記電源活性化コードが入力されると、前記電源コンセント部から前記外部電気機器への電源が供給されるように制御する電源制御部と、
を含み、
前記電源供給装置は、前記電源活性化コードをＲＴＣ（Ｒｅａｌ  Ｔｉｍｅ  Ｃｌｏｃｋ）回路によるワンタイムパスワード方式（ＯＴＰ：Ｏｎｅ  Ｔｉｍｅ  Ｐａｓｓｗｏｒｄ）で生成し、
前記中央管理センターは、前記電源供給装置の固有番号を生成し、かつ前記電源供給装置の使用時間に対応する前記電源活性化コードをワンタイムパスワード方式（ＯＴＰ：Ｏｎｅ  Ｔｉｍｅ  Ｐａｓｓｗｏｒｄ）で生成し、
前記電源供給装置のＲＴＣ回路の時計は前記中央管理センター側の時計に前記管理者端末によって同期化される、
電源供給システム。
【請求項６】
前記中央管理センターは、ＡＲＳ（Ａｕｔｏｍａｔｉｃ  Ｒｅｓｐｏｎｓｅ  Ｓｅｒｖｉｃｅ）又はウェブページ提供方式を介して前記電源活性化コードを前記ユーザのモバイル機器に提供する、請求項５に記載の電源供給システム。
【請求項７】
前記中央管理センターは、ＡＲＳ又はウェブページを介して前記使用時間に対応する利用料金を案内し、前記利用料金に対してユーザの電話機又はモバイル機器を通した決済が完了すると、前記電源活性化コードを前記ユーザのモバイル機器に提供する、請求項５に記載の電源供給システム。
【請求項８】
前記中央管理センターは、複数の前記電源供給装置の情報を管理し、
それぞれの前記電源供給装置の所有者から前記電源供給装置の固有番号が入力され、前記電源供給装置を登録する、請求項５に記載の電源供給システム。
【発明の詳細な説明】
【技術分野】
【０００１】
本発明は、電源供給装置に関し、固有の電源活性化コードを用いて電気自動車のような外部電気機器に電源を供給する電源供給装置及びシステムと、これを用いる方法に関する。
【背景技術】
【０００２】
排気ガスの規制及び炭素排出の低減のための各国の取り組みにより、電気自動車の普及が徐々に拡大される段階にある。しかし、主な自動車メーカーが電気自動車の生産・販売を行っているものの、より早く電気自動車市場を拡大するためには、電気自動車を充電することのできる充電所などの社会的なインフラの構築が求められている。
【０００３】
従来の電気自動車は、定められた電気自動車の充電所から電力が供給されて、電気自動車のバッテリを充電し、充電コストに対する料金の算出を行う。
【０００４】
電気自転車、電気バイク、電気自動車などの個人所有の電気車両が、アパートなどのような多くの人が共に居住する公共住宅と公共施設で充電をする場合、電気使用量に対する課金の問題が発生することがある。また、公共施設で電気車両を充電する場合、電気使用者に使用量に応じた正確な課金をする必要がある。
【０００５】
しかし、従来における電気自動車の充電機器は、限られた事業者による大規模な施設投資を必要とするため、少数の事業者のみが電気充電所の事業が可能であるという短所がある。また、アパートの駐車場のような公共施設で電気車両を充電する場合、電気使用量に応じてユーザに正確な課金をすることができず、他の住民から苦情が寄せられることがある。
【０００６】
このような問題を解決するために、電気使用者に使用量に応じて正確な課金をすることができ、設置及び利用が手軽で、かつ誰でも大きな施設投資なしに自身が所有する電気施設を用いて他人に電気を供給しながら課金させることのできる電源供給装置が求められている。
【発明の概要】
【発明が解決しようとする課題】
【０００７】
本発明は、既存の電源コンセントのような電気施設を簡単に変更又は交替することで、電気車両に電力を供給しながらも容易に課金することのできる電源供給装置及び電源供給システムを提供するものである。
【０００８】
また、ユーザのモバイル機器を介してＡＲＳ又はウェブページの接続方式により電気使用料金を事前決済した後に電源を供給することで、利用及び料金の支払いを容易にできる電源供給装置及び電源供給システムを提供することにある。
【０００９】
また、暗号化されたアルゴリズムを介して使用するごとに１回用の電源活性化コードを変更して提供することで、セキュリティーに優れた電源供給装置及び電源供給システムを提供することにある。
【００１０】
本発明の解決しようとする課題は、上述した内容に制限されず、言及されない他の技術的な課題は、下記の記載から当業者に明確に理解されるであろう。
【課題を解決するための手段】
【００１１】
本発明の一実施形態に係る電源供給装置は、外部電気機器に電源を供給する電源供給装置であって、前記外部電気機器の電源プラグが結合して電気を供給することのできる電源コンセント部と、前記電源コンセント部から前記外部電気機器への電源の供給を制御する電源制御部と、前記電源制御部に接続されてユーザから電源活性化コードが入力されるユーザインターフェース部とを含み、前記電源制御部は、前記電源活性化コードに対応する使用時間の間に、前記電源コンセント部から前記外部電気機器に電源を供給することができる。
【００１２】
また、前記電源コンセント部は固有番号を含み、前記ユーザは、ユーザの電話機又はモバイル機器を介して、前記電源供給装置を管理する中央管理センターから前記固有番号及び前記電源供給装置の使用時間に対応する前記電源活性化コードを受信することができる。
【００１３】
また、前記中央管理センターは、前記電源活性化コードをワンタイムパスワード方式（ＯＴＰ：Ｏｎｅ  Ｔｉｍｅ  Ｐａｓｓｗｏｒｄ）で生成することができる。
【００１４】
また、前記固有番号は、ＱＲコード（登録商標）方式で提供されることができる。
【００１５】
また、前記電源コンセント部は、前記電源供給装置の点検のための外部端末が接続可能な端末接続部を含ことができる。
【００１６】
また、前記電源活性化コードをワンタイムパスワード方式（ＯＴＰ：Ｏｎｅ  Ｔｉｍｅ  Ｐａｓｓｗｏｒｄ）で生成するよう、ＲＴＣ（Ｒｅａｌ  Ｔｉｍｅ  Ｃｌｏｃｋ）回路が内蔵された端末を含むことができる。
【００１７】
本発明の一実施形態に係る電源供給システムは、外部電気機器に電源を供給する電源供給システムであって、前記外部電気機器に電源を供給する電源供給装置と、前記電源供給装置の活性化のための活性化コードを生成又は管理する中央管理センターとを含み、前記電源供給装置は、前記外部電気機器の電源プラグが結合して電気を供給することのできる電源コンセント部と、ユーザから電源活性化コードが入力されるユーザインターフェース部と、前記ユーザから前記ユーザインターフェース部を介して前記電源活性化コードが入力されると、前記電源コンセント部から前記外部電気機器への電源が供給されるように制御する電源制御部とを含み、前記中央管理センターは、前記電源供給装置の固有番号及び前記電源供給装置の使用時間に対応する前記電源活性化コードを生成することができる。
【００１８】
また、前記中央管理センターは、前記電源活性化コードを生成するごとに、所定のアルゴリズムを用いて前記電源活性化コードを異なるように生成することができる。
【００１９】
また、前記中央管理センターは、ＡＲＳ（Ａｕｔｏｍａｔｉｃ  Ｒｅｓｐｏｎｓｅ  Ｓｅｒｖｉｃｅ）又はウェブページ提供方式を介して前記電源活性化コードを前記ユーザのモバイル機器に提供することができる。
【００２０】
また、前記中央管理センターは、ＡＲＳ又はウェブページを介して前記使用時間に対応する利用料金を案内し、前記利用料金に対してユーザの電話機又はモバイル機器を通した決済が完了すると、前記電源活性化コードを前記ユーザのモバイル機器に提供することができる。
【００２１】
また、前記中央管理センターは、複数の前記電源供給装置の情報を管理し、それぞれの前記電源供給装置の所有者から前記電源供給装置の固有番号が入力され、前記電源供給装置を登録することができる。
【００２２】
本発明の一実施形態に係る他の電源供給装置を使用する方法は、外部電気機器に電源を供給する電源供給装置を使用する方法であって、前記電源供給装置を管理する中央管理センターが、前記電源供給装置のユーザがモバイル機器を介して前記電源供給装置の固有番号及び前記電源供給装置の使用時間を受信するステップと、前記中央管理センターは、前記電源供給装置を活性化するように、前記電源供給装置の固有番号及び前記電源供給装置の使用時間に対応する電源活性化コードを生成して前記モバイル機器に送信するステップと、ユーザインターフェースを介して前記電源活性化コードが入力されるステップと、前記電源活性化コードが入力されると、前記電源供給装置が前記外部電気機器に電源を供給するステップとを含むことができる。
【００２３】
また、前記中央管理センターが前記電源供給装置の前記使用時間に対応する利用料金をＡＲＳ又はウェブページを介して案内するステップと、前記ユーザのモバイル機器を介して前記利用料金に対する決済が実行されるステップとをさらに含むことができる。
【発明の効果】
【００２４】
本発明による電源供給装置は、公共施設における電気コンセントを制限的に使用するようにし、既存の課金体系を改善することができる。電気供給の可能な施設の所有者が複雑な電源供給システム及び決済と管理のための通信システムを設置する必要がなく、既存の電源コンセントを簡単に変更交替することで課金することができ、これにより電気自動車の充電所の箇所を拡大することができる。そのため、電気自動車普及の活性化を期待することができる。
【００２５】
また、ユーザのモバイル機器を介してＡＲＳ又はウェブページの接続方式によって電気使用料金を事前決済した後、電源を供給することで、利用及び料金の支払いが簡単になる長所がある。
【００２６】
また、使用するごとに電源活性化コードを所定のアルゴリズムを介して毎回変更して１回用にして提供することで、外部のハッキングから安全に保護することができる。
【図面の簡単な説明】
【００２７】
【図１】図１は、本発明の一実施形態に電源供給装置の概略図である。
【図２】図２は、図１に示された電源供給装置と中央管理センターの構成を示すブロック図である。
【図３】図３は、本発明の他の実施形態に係る電源供給装置の図である。
【図４】図４は、本発明の一実施形態に係る電源供給装置の中央管理センターとの通信方法を示す図である。
【図５】図５は、本発明の他の実施形態に係る電源供給装置と中央管理センターの構成を示すブロック図である。
【図６】図６は本発明の一実施形態に係る電源供給装置を使用する方法を示すフローチャートである。
【図７】図７は、本発明の他の実施形態に係る電源供給装置を使用する方法を示すフローチャートである。
【図８】図８は、本発明の一実施形態に係る電源供給装置を使用するために最初の登録手続を示すフローチャートである。
【発明を実施するための形態】
【００２８】
以下では添付の図面を参照して本発明が属する技術分野で通常の知識を有する者が容易に実施できるように本発明の実施形態が詳細に説明される。しかし、本発明は、様々な異なる形態で実現することができ、ここで説明する実施形態に限定されることはない。そして、図面で本発明の実施形態を明確に説明するために、説明と関係のない部分は省略することにする。
【００２９】
本明細書で使用された用語は、単に、特定の実施形態を説明するために使用されているものであり、本発明を限定しようとする意図はない。単数の表現は、文脈上、明確に異なる意味を持たない限り、複数の表現を含むことができる。
【００３０】
本明細書で、「含む」、「有する」又は「備える」等の用語は、明細書上に記載された特徴、数字、ステップ、動作、構成要素、部品、又はこれらを組み合わせたものの存在を示すことを意図し、１つ又はそれ以上の異なる特徴や数字、ステップ、動作、構成要素、部品又はこれらを組み合わせたものなどの存在又は付加の可能性を予め排除しないものと理解することができる。
【００３１】
また、本発明の実施形態に示される構成部は、互いに異なる特徴的な機能を示すために独立して示されたものであって、各構成部が分離したハードウェアや１つのソフトウェアの構成単位からなることを意味しない。すなわち、各構成部は、説明の便宜上、それぞれの構成部で羅列して記述され、各構成部のうち少なくとも２つの構成部が合わさって１つの構成部からなるか、１つの構成部が複数の構成部に分けられて機能を実行することができる。このような各構成部の統合された実施形態及び分離した実施形態も、本発明の本質から逸脱しない限り本発明の権利範囲に含まれる。
【００３２】
また、以下の実施形態は当業界で平均的な知識を有する者により明確に説明するために提供されるものであり、図面における要素の形状及び大きさなどはより明確な説明のために誇張されることもある。
【００３３】
以下、添付された図面を参考して、本発明の実施形態を詳細に説明することにする。
【００３４】
図１は、本発明の一実施形態に電源供給装置の概略図であり、図２は、図１に示された電源供給装置と中央管理センターの構成を示すブロック図である。
【００３５】
図１及び図２を参照すると、本発明の一実施形態に係る電源供給装置１００は、電気自動車、電気バイク、又は、電気自転車のような電気移動手段だけでなく、電気充電の可能な外部電気機器に電源を供給して充電させるための装置である。電源供給装置１００は、個人住宅又はアパートのような共同住宅、公共施設などの電力供給網に設置することができる。
【００３６】
電源供給装置１００は、電気の供給された既存の電気コンセントを簡単に交替して設置したり、既存の電気コンセント上に結合又は取り付けて設置したりすることで、別の場所で電力供給線に接続して容易に設置することができる。
【００３７】
電源供給装置１００は、電源コンセント部１１０、電源制御部１７０、及びユーザインターフェース部１３０を含む。
【００３８】
電源コンセント部１１０は、前記外部電気機器に電源を供給するために前記外部電気機器の電源プラグを挿入結合し、前記外部電気機器に電気を供給するように備えられたものである。電源コンセント部１１０は、従来の四角形のコンセントと互換性があるように、箱型のハウジング形状であってもよく、前面に前記外部電気機器の電源プラグを挿入できるコンセント部１１２が設けられる。本実施形態における前記コンセント部１１２は、円形のプラグを挿入できる形状であるが、これに限定されることなく、外部電気機器のプラグの形状に応じて様々な形状であってもよい。あるいは、別のアダプタ（図示せず）が前記外部電気機器のプラグに結合された状態で前記コンセント部１１２に挿入されてもよい。
【００３９】
電源制御部１７０は、前記電源コンセント部１１０のハウジングの内部に設けられ、前記電源コンセント部１１０から前記外部電気機器への電源供給を制御することができる。
【００４０】
ユーザインターフェース部１３０は、電源制御部１７０に接続され、ユーザから電源活性化コードが入力され得る。電源供給装置１００を使用しようとするユーザは、ユーザインターフェース部１３０を介して電源供給装置１００の使用を許可する電源活性化コードを入力する。これにより、電源制御部１７０は、前記電源活性化コードに対応する使用時間の間、又は要求された電力量だけ、電源コンセント部１１０から前記外部電気機器に電源を供給することができる。本実施形態において、ユーザインターフェース部１３０は、数字０〜９までのボタンキーで構成されているが、これに限定されることなく、タッチパッドやハングル及び／又は英語がともに入力可能なキー入力装置であってもよい。ユーザがユーザインターフェース部１３０の数字を入力すれば、入力表示窓１１６には、ユーザが入力した数字が表示される。
【００４１】
一方、本発明の一実施形態に係る電源供給装置１００は、製品の固有番号１４０を含んでいる。製品の固有番号１４０は、電源供給装置１００を識別するための固有番号であって、それぞれの電源供給装置１００ごとに異なるように付与される。ユーザは、中央管理センター２００に通信して製品の固有番号１４０を送信し、中央管理センター２００から前記電源活性化コードを受信する。ユーザは、受信された前記電源活性化コードを、ユーザインターフェース部１３０を介して入力すると、電源供給装置１００は、ユーザの電気機器に電源を供給することができる。ここで、電源供給装置１００には、ＬＥＤ表示装置１１４が備えられ、電源供給装置１００の状態を表示する。例えば、ＬＥＤ表示装置１１４が緑色であれば、現在の電源供給装置１００が正常に電源供給中であることを示し、ＬＥＤ表示装置１１４が赤色であれば、現在の電源供給装置１００は電源供給が遮断されていることを示す。
【００４２】
一方、製品の固有番号は数字ではなくＱＲコード（Ｑｕｉｃｋ  Ｒｅｓｐｏｎｓｅ  Ｃｏｄｅ）１５０の方式で付与されてもよい。この場合、ユーザは、自身のモバイル機器を用いてＱＲコード１５０を撮影し、撮影されたＱＲコード１５０のイメージを中央管理センター２００に通信して送信することができる。中央管理センター２００は、受信したＱＲコードのイメージを介して電源供給装置１００を識別した後、対応する電源活性化コードをユーザのモバイル機器に送信することができる。
【００４３】
ユーザは、製品の固有番号１４０を自身のモバイル機器を介して電話をかけて中央管理センター２００に電話接続することができる。この場合、中央管理センター２００は、ＡＲＳ（Ａｕｔｏｍａｔｉｃ  Ｒｅｓｐｏｎｓｅ  Ｓｅｒｖｉｃｅ）方式でユーザに案内し、前記電源活性化コードを音声で案内する。又は、中央管理センター２００は、前記電源活性化コードをユーザのモバイル機器に文字を用いて送信してもよい。
【００４４】
一方、本発明の一実施形態に係る電源供給装置１００は、端末接続部１２０を含む。電源供給装置１００の所有者は、端末接続部１２０を介して外部端末を電源供給装置１００に通信可能に接続することで、電源供給装置１００を点検することができる。例えば、電源供給装置１００の使用履歴、故障情報を受信し、自体診断の機能を行うことができる。また、電源供給装置１００は、時間ごとに変更される活性化コードを中央管理センター２００から受信し、課金に対する使用時間の管理を行うことができる。前記外部端末は、電源供給装置１００のセキュリティーのチェック及び電源供給装置１００内の時計を中央管理センター２００の時計と同期化することができる。
【００４５】
本実施形態では、端末接続部１２０は、ＵＳＢ、ＲＳ−２３２、ＲＳ−４８５などのような有線通信の接続を例にして説明したが、Ｗｉ−ＦｉやＮＦＣ、ブルートゥース（登録商標）のような無線通信も可能であることは勿論である。
【００４６】
また、本発明の一実施形態に係る電源供給装置１００は、自体的に通信部１８０を設けることができる。電源供給装置１００は、自体の通信部１８０を介して中央管理センター２１０に通信可能に接続されることができる。有線又は無線通信網を介して電源供給装置１００の通信部１８０は、中央管理センター２００の通信部２１０と接続されている。この場合、ユーザは、ユーザインターフェース部１３０を介して電源供給装置１００の固有番号１４０を直接入力し、入力された固有番号１４０は、通信部１８０を介して中央管理センター２００の通信部２１０に送信されることができる。
【００４７】
図３は、本発明の他の実施形態に係る電源供給装置の図である。
【００４８】
図３を参照すると、図示された本発明の他の実施形態に係る電源供給装置２００は、図１に示された電源供給装置１００と同一であり、ユーザインターフェース部２３０と入力表示窓２１６の構成が、図１に示された実施形態にのみ相違し、残りの構成は同一である。本実施形態における電源供給装置２００は、ユーザインターフェース部２３０が電源コンセント部２１０の前面に備えられず、別のキーパッドの形態で側面に備えられてもよい。また、入力表示窓２１６が、ユーザインターフェース部２３０のキーパッドの上部に備えられてもよい。
【００４９】
図４は、本発明の一実施形態に係る電源供給装置の中央管理センターとの通信方法を示す図である。
【００５０】
図２及び図４を参照すると、本発明の一実施形態に係る中央管理センター２００は、複数の電源供給装置１００、１００ａ、１００ｂ、１００ｃ、１００ｄの情報を管理し、電源供給装置１００、１００ａ、１００ｂ、１００ｃ、１００ｄの活性化のための活性化コードを生成及び／又は管理するために備えられたものである。中央管理センター２００は、電源供給装置１００、１００ａ、１００ｂ、１００ｃ、１００ｄの固有番号及び電源供給装置１００、１００ａ、１００ｂ、１００ｃ、１００ｄの使用時間に対応する電源活性化コードを生成することができる。
【００５１】
中央管理センター２００は、通信部２１０、利用料金管理部２３０、活性化コード管理部２４０、及びこれらを制御する制御部２２０を含む。
【００５２】
通信部２１０は、電源供給装置１００の通信部１８０と通信可能に接続されることができる。この場合、電源供給装置１００のユーザインターフェース部１３０から入力された固有番号１４０は、電源供給装置１００の通信部１８０を介して中央管理センター２００の通信部２１０に送信されてもよい。もちろん、実施形態により電源供給装置１００は、通信部１８０を含まないことがあるが、この場合は、ユーザモバイル機器３００の通信部３１０は、中央管理センター２００の通信部２１０と通信可能に接続されてもよい。また、ユーザモバイル機器３００にはカメラ部３２０が設けられるが、カメラ部３２０を介して電源供給装置１００のＱＲコード１５０のイメージを撮影し、撮影された前記イメージを中央管理センター２００に送信してもよい。
【００５３】
利用料金管理部２３０は、電源供給装置１００又はユーザモバイル機器３００から受信した電源供給装置１００の固有番号１４０から電源供給装置１００の設置位置、当該地域の現在の電力単価及びユーザの使用時間情報のうちの１つ以上の情報に基づいて利用料金を算出することができる。利用料金管理部２３０から算出された前記利用料金は、実施形態により通信部２１０を介して電源供給装置１００の通信部１８０に送信されてもよく、ユーザモバイル機器３００に送信されてもよい。ユーザモバイル機器３００には、ディスプレイ部３３０が備えられ、前記利用料金を表示してもよい。これにより、ユーザは、電気自動車のような電気機器の充電時間などの情報に基づいて利用料金を把握することができる。
【００５４】
一方、中央管理センター２００は、ＡＲＳ又はウェブページを運営することができる。ユーザは、自身のモバイル機器３００に中央管理センター２００に電話をかけてＡＲＳ方式４０２で案内されてもよく、中央管理センター２００へのインターネット接続方式４０４でウェブページを介して案内されてもよい。ＡＲＳ方式４０２の場合には、ユーザは、中央管理センター２００から音声案内されながら、電源供給装置１００、１００ａ、１００ｂ、１００ｃ、１００ｄの固有番号１４０と使用時間を入力し、中央管理センター２００からこれに該当する利用料金の案内を受けることができる。前記利用料金は、文字で案内されることができる。もし、インターネット接続方式４０４の場合には、中央管理センター２００のウェブページに接続し、ユーザは固有番号１４０と使用時間を入力してもよく、ＱＲコードイメージ１５０と使用時間を入力してもよい。中央管理センター２００は、電源供給装置１００の設置位置、当該地域の現在の電力単価及びユーザの使用時間情報のうちの１つ以上の情報に基づいて、利用料金をウェブページ又はＳＮＳ（Ｓｏｃｉａｌ  Ｎｅｔｗｏｒｋ  Ｓｅｒｖｉｃｅ）を介してユーザに知らせることができる。
【００５５】
ユーザは、自身のモバイル機器３００を介して前記利用料金に該当する金額を決済４０６することができる。この場合、テレフォンバンキングサービスによって決済してもよく、中央管理センター２００のウェブページで直接クレジットカードを用いて決済してもよい。また、その他の様々な電子決済サービスにより、料金を前払いしてもよい。決済が完了すると、中央管理センター２００は、文字又はウェブページ又はＳＮＳを介して決済完了をユーザに告知する。
【００５６】
一方、中央管理センター２００は、ユーザの決済が完了すると、ＡＲＳ方式４０２又はインターネット接続方式４０４に応じて、文字又はウェブページ又はＳＮＳを介してユーザに電源供給装置１００、１００ａ、１００ｂ、１００ｃ、１００ｄの使用許可のための電源活性化コードを送信することができる。ユーザは、前記電源活性化コードを電源供給装置１００のインターフェース部１３０を介して入力することで、電源供給装置１００を使用し始める。
【００５７】
活性化コード管理部２４０は、それぞれの電源供給装置１００、１００ａ、１００ｂ、１００ｃ、１００ｄの使用許可のための暗号化されたコードを格納及び管理するデータベースである。活性化コード管理部２４０は、ユーザから電源供給装置１００、１００ａ、１００ｂ、１００ｃ、１００ｄの利用許可の要求があるごとに、電源活性化コードを生成して管理するが、所定の暗号化されたアルゴリズムを用いて毎回前記電源活性化コードを異なるように生成することができる。したがって、電源供給装置を外部ハッキングの危険から安全に保護することができる。活性化コード管理部２４０は、固有番号１０４と、電源コンセント部１１０の内部に付けられているか製品マニュアルから確認可能な内部番号と、別のコード生成のための規則を設定するための番号を用いて前記電源活性化コードを生成することができる。前記活性化コード管理部２４０は、ワンタイムパスワード方式（ＯＴＰ；Ｏｎｅ  Ｔｉｍｅ  Ｐａｓｓｗｏｒｄ）で前記電源活性化コードを生成することができる。
【００５８】
上述した実施形態において、前記電源活性化コードは、中央管理センター２００の活性化コード管理部２４０で前記ワンタイムパスワード方式によって生成することについて例を挙げて説明したが、中央管理センター２００とは別に、ＲＴＣ（Ｒｅａｌ  Ｔｉｍｅ  Ｃｌｏｃｋ）回路が内蔵されてユーザが使用するごとにＯＴＰを生成できる別の端末を設けることができる。
【００５９】
図５は、本発明の他の実施形態に係る電源供給装置と中央管理センターの構成を示すブロック図である。
【００６０】
図５を参照すると、本発明の他の実施形態に係る電源供給装置と、中央管理センターは、図１に示された全体システムと多くの構成とが同一であり、管理者端末４００が別に構成される。以下では、前述した図１に示されたシステムとの違いのみを説明することにする。
【００６１】
電源供給装置１００ａは、図１に示す電源供給装置１００とは異なって、通信部１８０を含んでいない。代って、ユーザ端末３００の通信部３１０が中央管理センター２００の通信部２１０と通信可能である。したがって、ユーザは、ユーザ端末３１０を介して中央管理センター２００に接続し、電源活性化コードを受信することができる。一方、本実施形態では、管理者端末４００がユーザ端末３００とは別に構成される。管理者端末４００は、電源供給装置１００ａの端末接続部１２０に接続可能な端末接続部４３０を含む。したがって、管理者は、管理者端末４００を介して電源供給装置１００ａに接続し、電源供給装置１００ａの使用履歴、故障情報を受信することができ、自体診断機能を行うことができる。また、管理者端末４００は、電源供給装置１００のセキュリティーのチェック及び電源供給装置１００内の時計を中央管理センター２００の時計と同期化することができる。
【００６２】
上述した実施形態に係る電源供給装置は、公共施設における電気コンセントを制限的に使用するようにし、既存の課金体系を改善することができる。電気供給が可能な施設の所有者が複雑な電源供給システムを設ける必要がなく、既存の電源コンセントを簡単に変更交替して課金することができ、これにより電気自動車の充電所の箇所を拡大することができる。そのため、電気自動車普及の活性化を期待することができる。
【００６３】
また、ユーザのモバイル機器を介してＡＲＳ方式又はウェブページ接続方式によって電気使用料金を事前決済した後、電源を供給することで、利用及び料金の支払いが簡単になる長所がある。
【００６４】
また、毎回使用するごとに電源活性化コードを所定のアルゴリズムを介して毎回変更して１回用にして提供することで、電源供給装置を外部のハッキングから保護することができる。
【００６５】
図６は、本発明の一実施形態に係る電源供給装置を使用する方法を示すフローチャートである。
【００６６】
図１及び図６を参照すると、まず、ユーザは、電源供給装置１００の固有番号１４０を確認し、自身のモバイル機器に電話をかけて中央管理センター２００とＡＲＳ接続する（Ｓ５１０）。
【００６７】
中央管理センター２００の音声案内に応じて、ユーザは、固有番号１４０と電源供給装置１００の使用時間を入力する（Ｓ５２０）。
【００６８】
その後、中央管理センター２００は、入力された前記固有番号１４０と前記使用時間に基づいて使用料金を算出する。前記使用料金は、電源供給装置１００が設けられた場所の電力単価と、その他の施設コストなどに応じて電源供給装置１００ごとに、そして時間ごとに異なるように算出されてもよい。中央管理センター２００は、算出された前記使用料金を、ＡＲＳを介してユーザに案内する。ユーザは、案内された前記使用料金を自身のモバイル機器を介してテレフォンバンキング又は銀行の振込み又は電子決済などの方式により決済する（Ｓ５３０）。
【００６９】
前記決済が完了すると、中央管理センター２００は、電源供給装置１００の使用を許可するための電源活性化コードを生成し、これをユーザに送信する（Ｓ５４０）。ここで、電源活性化コードは、電源供給装置１００の固有番号、内部番号と、別のコード生成のための規則を設定するための番号を用いて生成されることができる。前記電源活性化コードは、例えば、ワンタイムパスワード方式（ＯＴＰ；Ｏｎｅ  Ｔｉｍｅ  Ｐａｓｓｗｏｒｄ）で生成されることができる。
【００７０】
ユーザは、受信された前記電源活性化コードを電源供給装置１００のユーザインターフェース部１３０を介して入力し、電源供給装置１００をオンにした後、自身の電気機器に電源を供給する（Ｓ５５０）。
【００７１】
図７は、本発明の他の実施形態に係る電源供給装置を使用する方法を示すフローチャートである。
【００７２】
図１及び図７を参照すると、まず、ユーザは、自身のモバイル機器で電源供給装置１００のＱＲコード１５０を撮影し、自身のモバイル機器で中央管理センター２００のウェブページ（インターネットホームページ）に接続する（Ｓ４１０）。
【００７３】
中央管理センター２００のウェブページ上の決済ページに接続した後、案内にしたがってユーザは、撮影されたＱＲコード１５０イメージと電源供給装置１００の使用時間を入力する（Ｓ４２０）。
【００７４】
その後、中央管理センター２００は、ＱＲコード１５０に応じて電源供給装置１００の固有番号を把握し、前記固有番号と前記使用時間に基づいて使用料金を算出する。前記使用料金は、電源供給装置１００が設けられた場所の電力単価とその他の施設コストなどに応じて、電源供給装置１００ごとに、そして、時間ごとに異なるように算出されてもよい。中央管理センター２００は、算出された前記使用料金を、前記ウェブページを介してユーザに案内する。ユーザは、案内された前記使用料金を自身のモバイル機器を介してテレフォンバンキング又は銀行の振込み又は前記ウェブページ上の電子決済などの方式で決済する（Ｓ４３０）。
【００７５】
前記決済が完了すると、中央管理センター２００は、電源供給装置１００の使用を許可するための電源活性化コードを生成し、これをユーザに送信する（Ｓ４４０）。ここで、電源活性化コードは、電源供給装置１００の固有番号、内部番号と、別のコード生成のための規則を設定するための番号を用いて生成されてもよい。前記電源活性化コードは、例えば、ワンタイムパスワード方式（ＯＴＰ；Ｏｎｅ  Ｔｉｍｅ  Ｐａｓｓｗｏｒｄ）で生成されることができる。
【００７６】
ユーザは、受信された前記電源活性化コードを電源供給装置１００のユーザインターフェース部１３０を介して入力し、電源供給装置１００をオンにした後、自身の電気機器に電源を供給する（Ｓ４５０）。
【００７７】
本発明の一実施形態に係る電源供給装置の使用方法についても、また、上述した実施形態に係る電源供給装置と同じ作用効果を得ることができる。
【００７８】
図８は、本発明の一実施形態に係る電源供給装置を使用するために最初の登録手続を示すフローチャートである。
【００７９】
図１、図２及び図８を参照すると、本発明の一実施形態に係る電源供給装置１００を使用するためには、最初に中央管理センター２００に使用登録を行う必要がある。
【００８０】
電源供給装置１００の所有者は、最初に、電源供給装置１００の固有番号１４０と内部番号を確認する（Ｓ６１０）。ここで、前記内部番号は、電源供給装置１００のハウジング内部に付けられるか、製品マニュアルから確認することができる。その後、所有者のモバイル機器３００を介して、電源供給装置１００を管理する中央管理センター２００の管理ページ（ウェブページ）に接続する（Ｓ６２０）。次に、電源供給装置１００を使用しようとする利用者に使用料金を受けるための入金口座を登録する（Ｓ６３０）。ここで、前記所有者は、セキュリティーを保持するために、又は、認証の目的として、所有者は再度固有番号１４０と前記内部番号を入力する手続を有する（Ｓ６４０）。最後に、所有者は、中央管理センター２００の電源供給装置１００の情報管理のために設置場所のアドレスを入力する（Ｓ６５０）。
【００８１】
上述した実施形態において、前記電源活性化コードがユーザの電話機又はモバイル機器を介して受信されることについて例を挙げて説明したが、これに限定されることなく、前記電源活性化コードを別の用紙、例えば、カフェなどで決済された領収書の用紙のような印刷物又は電子スクリーン機器の別の表示装置を介して確認することもできる。
【００８２】
以上で本発明の代表的な実施形態を詳細に説明したが、本発明が属する技術分野で通常の知識を有する者は上述した実施形態に対して本発明の範疇から逸脱しない範囲内で様々な変形が可能であることが理解できるのであろう。例えば、利用しようとする装置に付与された固有コードと前記装置に対する使用時間をベースに管理センターから暗号化コードを送信し、ユーザが前記暗号化コードを前記装置に入力して使用の許可を受ける方式で様々な装置に応用することができる。一例として、公衆トイレや１回用の保管箱などにも使用されてもよい。したがって、本発明の権利範囲は、説明された実施形態に限定されて決定されることなく、特許請求の範囲及び特許請求の範囲と均等なものなどによって定められるものである。
【図１】
0006901813.tif 000002
【図２】
0006901813.tif 000003
【図３】
0006901813.tif 000004
【図４】
0006901813.tif 000005
【図５】
0006901813.tif 000006
【図６】
0006901813.tif 000007
【図７】
0006901813.tif 000008
【図８】
0006901813.tif 000009